(57)【要約】【課題】圧縮処理されパケット化されたコンテンツを記録する際に、受信できなかったパケット情報があっても、受信できなかった情報間の不自然なブレをユーザに極力感じさせない記録装置を提供する。【解決手段】圧縮処理されパケット化された画像情報及び／又は音声情報を含んでなるコンテンツのストリームを入力する入力手段１と、入力された画像情報及び／又は音声情報を復号する復号手段２と、復号された画像情報及び／又は音声情報を記録する記録手段３と、記録手段３における記録処理中に、パケットが入力されなくなったときに記録処理を一時停止し、再びパケットの入力がなされたときに一時停止を解除して記録処理を再開するよう処理する制御手段６とを備える。制御手段６は、一時停止の処理毎に、予め記憶された画像情報及び／又は音声情報を、一時停止の期間に拘わらず所定期間だけ記録手段３に対して出力して記録させる制御を行う。【選択図】図１
2006092663.tif 000002
【特許請求の範囲】
【請求項１】
圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段とを備えた記録装置であって、前記記録手段における記録処理中に、パケットが入力されなくなったときに前記記録処理を一時停止し、再びパケットの入力がなされたときに前記一時停止を解除して記録処理を再開するよう処理する記録制御手段をさらに備え、該記録制御手段は、前記一時停止の処理毎に、予め記憶された画像情報及び／又は音声情報を、前記一時停止の期間に拘わらず所定期間だけ前記記録手段に対して出力して記録させる制御を行うことを特徴とする記録装置。
【請求項２】
前記コンテンツのストリームは、画像情報及び／又は音声情報に各パケットの出力順序を示す連続性情報が付加されているものとし、前記記録制御手段は、前記一時停止の期間分に相当する連続性情報を、前記予め記憶された画像情報及び／又は音声情報に付与して、前記記録手段に対して出力して記録させる制御を行うことを特徴とする請求項１に記載の記録装置。
【請求項３】
前記コンテンツはデジタル放送コンテンツとし、前記入力手段は、前記デジタル放送コンテンツの放送信号を受信するためのチューナを有することを特徴とする請求項１又は２に記載の記録装置。
【請求項４】
前記入力手段で入力される画像情報及び／又は音声情報に対する、前記記録手段における記録処理を、ユーザに予約操作又は開始・終了操作させることで実行する記録操作手段をさらに備え、該記録操作手段における記録操作に基づき各パケットが入力されることを特徴とする請求項１乃至３のいずれか１項に記載の記録装置。
【請求項５】
請求項１乃至４のいずれか１項に記載の記録装置と、該記録装置で記録されたコンテンツを再生表示する出力装置とを備えた記録再生装置であって、前記出力装置は、前記記録手段で記録されたコンテンツを再生表示する際に、前記一時停止の期間、前記予め記憶された画像情報及び／又は音声情報を、前記一時停止の期間に拘わらず所定期間だけ未入力のパケットの代わりに再生表示することを特徴とする記録再生装置。
【請求項６】
圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段と、該記録手段で記録されたコンテンツを再生表示する出力手段とを備えた記録再生装置であって、前記記録手段における記録処理中に、パケットが入力されなくなったときに前記記録処理を一時停止し、再びパケットの入力がなされたときに前記一時停止を解除して記録処理を再開するよう処理する制御手段をさらに備え、該制御手段は、前記一時停止の処理毎に、前記一時停止の前後の画像情報及び／又は音声情報から、所定時間の画像情報及び／又は音声情報を生成し記憶する情報生成手段を有し、前記出力手段における再生表示処理時に、前記情報生成手段で生成された画像情報及び／又は音声情報を、前記一時停止に対応する期間に挿入して、前記出力手段に再生表示させる制御を行うことを特徴とする記録再生装置。
【請求項７】
圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段とを備えた記録装置に組み込むためのプログラムであって、前記記録装置における各手段に対する制御を行う演算装置に、前記記録手段における記録処理中に、パケットが入力されなくなったときに前記記録処理を一時停止する処理と、再びパケットの入力がなされたときに前記一時停止を解除して記録処理を再開する処理と、前記一時停止の処理毎に、予め記憶された画像情報及び／又は音声情報を、前記一時停止の期間に拘わらず所定期間だけ前記記録手段に対して出力する処理とを実行させることを特徴とするプログラム。
【請求項８】
圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段と、該記録手段で記録されたコンテンツを再生表示する出力手段とを備えた記録再生装置に組み込むためのプログラムであって、前記記録再生装置における各手段に対する制御を行う演算装置に、前記記録手段における記録処理中に、パケットが入力されなくなったときに前記記録処理を一時停止する処理と、再びパケットの入力がなされたときに前記一時停止を解除して記録処理を再開する処理と、前記一時停止の処理毎に、前記一時停止の前後の画像情報及び／又は音声情報から、所定時間の画像情報及び／又は音声情報を生成し記憶する処理と、前記出力手段における再生表示処理時に、前記生成され記憶された画像情報及び／又は音声情報を、前記一時停止に対応する期間に挿入して、前記出力手段に再生表示させる処理とを実行させることを特徴とするプログラム。
【請求項９】
前記コンテンツのストリームは、画像情報及び／又は音声情報に各パケットの出力順序を示す連続性情報が付加されているものとし、当該プログラムは、前記演算装置に、前記一時停止の期間分に相当する連続性情報を、前記予め記憶された画像情報及び／又は音声情報に付与して、前記記録手段に対して出力して記録させる処理を実行させることを特徴とする請求項７又は８に記載のプログラム。
【請求項１０】
前記コンテンツはデジタル放送コンテンツとし、前記入力手段は、前記デジタル放送コンテンツの放送信号を受信するためのチューナを有することを特徴とする請求項７乃至９のいずれか１項に記載のプログラム。
【請求項１１】
前記記録手段は、前記入力手段で入力される画像情報及び／又は音声情報に対する記録処理を、ユーザに予約操作又は開始・終了操作させることで実行する記録操作手段を有し、当該プログラムは、前記演算装置に、前記記録操作手段における記録操作に基づき記録用に各パケットを入力する処理を実行させることを特徴とする請求項７乃至１０のいずれか１項に記載のプログラム。
【請求項１２】
請求項７乃至１１のいずれか１項に記載のプログラムを記録したコンピュータ読み取り可能な記録媒体。
【発明の詳細な説明】
【技術分野】
【０００１】
本発明は、記録装置、記録再生装置、プログラム、及び記録媒体に関し、より詳細には、圧縮処理されパケット化されたコンテンツを入力して記録するための記録装置、該記録装置を備えた記録再生装置、これら装置における制御プログラム、及びそのプログラムを記録したコンピュータ読み取り可能な記録媒体に関する。
【背景技術】
【０００２】
録画中に放送信号が受信できなかったときに録画中断処理を行う録画装置が提案されている（例えば、特許文献１を参照）。特許文献１に記載の録画装置は、同期信号が検出されない期間が一定期間継続したらタイマ録画を停止させ、設定されたタイマ録画期間中に同期信号が再度検出されたら、タイマ録画モードを再度能動化させるタイマ録画の制御方法を採用している。
【０００３】
図８は、従来技術の画像記録装置における録画処理の一例を説明するためのフロー図で、図９は、図８の録画処理を実行したときに受信障害期間が存在した場合の実際の録画結果の例を示す図である。
【０００４】
まず、ステップＳ５１で録画開始がなされた後、受信状態を確認し（ステップＳ５２）、その確認の結果、良好の場合は、録画用メモリへの記録を逐次実行する（ステップＳ５３）。一方、受信状態が良好でない場合は、録画を一時停止して（ステップＳ５６）、受信状態が復帰するまで待機する（ステップＳ５７）。そして、受信状態の復帰によって録画の一時停止を解除し（ステップＳ５８）、ステップＳ５３での録画用メモリへの記録処理を引き続き行う。ステップＳ５３の後は、録画の終了を判定し（ステップＳ５４）、判定の結果、録画終了と判定した場合は、最終的に録画の停止を実行する（ステップＳ５５）。また、録画継続と判定した場合は、ステップＳ５２に戻る。
【０００５】
図８で説明した録画処理での制御は、実際の録画期間に対して、メモリに記録できた期間は受信障害期間が生じた分だけ省略して記録される結果となる。例えば、図９のように、一定の記録期間（録画期間ＴＲ）内に、符号５１で示すように２つの受信障害期間Ｊ１，Ｊ２が挿まれるように録画期間Ａ，Ｂ，Ｃが割り当てられていたとすると、メモリに記録されている期間は符号５２で示すように順にＡ，Ｂ，Ｃとなる。
【０００６】
また、最近の放送信号に重畳する映像情報のフォーマットとして、画像圧縮技術を用いたいわゆるＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）と称される映像フォーマットが研究開発されており、ビデオデータ又はオーディオデータの圧縮技術として広く普及しつつある。これらの圧縮された映像音声情報を多重化する際には、ビデオデータ及びオーディオデータのそれぞれがパケットという所定のデータ長のビットストリームに時分割され、各パケットにはヘッダ情報といった付加情報が付けられる。
【０００７】
そして、記録装置や再生装置側でこのデータを受信する際には、この時分割されたパケットを、ヘッダ情報に書き込まれた連続性情報をもとに適正に時系列配置し、記録処理や再生処理を行っている。すなわち、その時分割されたデータを復号処理する際には、各パケットのヘッダ情報に付加され各パケットの順列を認識するための連続性情報というデータをもとに、時分割されたデータを時間軸に対し適正な順序で配列し直す過程を経ることとなる。
【特許文献１】特許第２６６７７０１号公報
【発明の開示】
【発明が解決しようとする課題】
【０００８】
しかしながら、ＭＰＥＧ規格に基づく圧縮技術等により圧縮処理されパケット化されて連続性情報が付加されたコンテンツのような情報フォーマットを扱う際に、時分割されたパケットの一部でも受信障害により欠けた場合には、復号時に受信し損ねたパケットに対し連続性の管理ができなくなるので、その欠けたパケットに続く以降のパケットの配列処理にもバグが生じるという問題が生じ得る。また、バグが生じなくても、例えば受信障害の期間が１０分間あれば記録したコンテンツを再生する際にその１０分間に対応する時間だけユーザは視聴を待たなければならないといった問題が生じ得る。
【０００９】
そして、上述のごとくユーザが視聴を待つといったことを行わせないような記録制御又は再生制御を何らかの手段により実行した場合であっても、実際の録画期間に対して、メモリに記録できた期間は受信障害期間が生じた分だけ省略して記録される結果となり、受信障害期間の分が記録できなかったために画像間のブレが生じる可能性が非常に高くなる。上述した例では、ＡとＢ、ＢとＣの間に、受信障害期間Ｊ１，Ｊ２の分が記録できなかったために生じる画像間のブレがそれに相当する。
【００１０】
すなわち、その記録されたコンテンツを再生表示する際に、受信できないパケットが記録されていないので、記録されないパケットの前後画面の相関性が欠如する（例えば映像のブレ）ことによって、ユーザが視聴に耐えられないというケースも非常に多くなる。さらに、いずれかのパケットが受信できない場合には、このような画像間のブレによってそのパケットに相当する部分の後、再生装置において再生できないことも十分に考えられる。
【００１１】
そして、ユーザにとっては、このような品質上の問題点が、記録装置或いは記録再生装置自身に起因するのか、或いは、装置の受信環境に起因するのかについて明確に認識できるものではなかった。
【００１２】
また、特許文献１に記載の技術を適用した場合であっても、この技術においては、凡そ同期信号の有無を検出することにより実行中の録画処理を中断又は再開するかを判断していたが、その中断した期間が存在したことを示す情報もなかったために、録画した映像又は音声情報が途切れていても、その中断処理を認識する術がその映像又は音声情報自体以外に存在せず、再生したその記録情報を見ているユーザは違和感を抱かざるを得なかった。また、同時にそれを見たユーザは、その違和感が記録再生装置自身に欠陥などのトラブルがあるのではないかという誤認識をする可能性もあった。
【００１３】
上述のごとき問題は、記録装置が屋内に限らず屋外でも使用できるような携帯式の受信端末装置（例えばモバイル放送用受信端末装置）の場合に、特に深刻となる。すなわち、携帯式の受信端末においては、電波の届かない場所等で受信が不能になったりすることが多々生じ得るので、十分受信できずノイズが生じた状態で記録されることもあり、このような問題は不可避な場合さえある。
【００１４】
本発明は、上述のごとき実情に鑑みてなされたものであり、圧縮処理されパケット化されたコンテンツを記録する際に、受信できなかったパケット情報があっても、受信できなかった情報間の不自然なブレをユーザに極力感じさせず、且つ、装置にトラブルがあるとの疑念を抱かせないようにすることが可能な、記録装置、その記録装置を備えた記録再生装置、それらの装置に組み込むための制御用のプログラム、及び、そのプログラムを記録したコンピュータ読み取り可能な記録媒体を提供することをその目的とする。
【００１５】
また、本発明は、上述のごとき実情に鑑みてなされたものであり、圧縮処理されパケット化されたコンテンツを記録して再生する際に、受信できなかったパケット情報があっても、受信できなかった情報間の不自然なブレをユーザに極力感じさせず、且つ、装置にトラブルがあるとの疑念を抱かせないようにすることが可能な、記録再生装置、その記録再生装置に組み込むための制御用のプログラム、及び、そのプログラムを記録したコンピュータ読み取り可能な記録媒体を提供することを他の目的とする。
【課題を解決するための手段】
【００１６】
本発明は、上述のごとき課題を解決するために、以下の各技術手段でそれぞれ構成される。
第１の技術手段は、圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段とを備えた記録装置であって、前記記録手段における記録処理中に、パケットが入力されなくなったときに前記記録処理を一時停止し、再びパケットの入力がなされたときに前記一時停止を解除して記録処理を再開するよう処理する記録制御手段をさらに備え、該記録制御手段は、前記一時停止の処理毎に、予め記憶された画像情報及び／又は音声情報を、前記一時停止の期間に拘わらず所定期間だけ前記記録手段に対して出力して記録させる制御を行うことを特徴としたものである。
【００１７】
第２の技術手段は、第１の技術手段において、前記コンテンツのストリームは、画像情報及び／又は音声情報に各パケットの出力順序を示す連続性情報が付加されているものとし、前記記録制御手段は、前記一時停止の期間分に相当する連続性情報を、前記予め記憶された画像情報及び／又は音声情報に付与して、前記記録手段に対して出力して記録させる制御を行うことを特徴としたものである。
【００１８】
第３の技術手段は、第１又は第２の技術手段において、前記コンテンツはデジタル放送コンテンツとし、前記入力手段は、前記デジタル放送コンテンツの放送信号を受信するためのチューナを有することを特徴としたものである。
【００１９】
第４の技術手段は、第１乃至第３のいずれか１の技術手段において、前記入力手段で入力される画像情報及び／又は音声情報に対する、前記記録手段における記録処理を、ユーザに予約操作又は開始・終了操作させることで実行する記録操作手段をさらに備え、該記録操作手段における記録操作に基づき各パケットが入力されることを特徴としたものである。
【００２０】
第５の技術手段は、第１乃至第４のいずれか１に記載の記録装置と、該記録装置で記録されたコンテンツを再生表示する出力装置とを備えた記録再生装置であって、前記出力装置は、前記記録手段で記録されたコンテンツを再生表示する際に、前記一時停止の期間、前記予め記憶された画像情報及び／又は音声情報を、前記一時停止の期間に拘わらず所定期間だけ未入力のパケットの代わりに再生表示することを特徴としたものである。
【００２１】
第６の技術手段は、圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段と、該記録手段で記録されたコンテンツを再生表示する出力手段とを備えた記録再生装置であって、前記記録手段における記録処理中に、パケットが入力されなくなったときに前記記録処理を一時停止し、再びパケットの入力がなされたときに前記一時停止を解除して記録処理を再開するよう処理する制御手段をさらに備え、該制御手段は、前記一時停止の処理毎に、前記一時停止の前後の画像情報及び／又は音声情報から、所定時間の画像情報及び／又は音声情報を生成し記憶する情報生成手段を有し、前記出力手段における再生表示処理時に、前記情報生成手段で生成された画像情報及び／又は音声情報を、前記一時停止に対応する期間に挿入して、前記出力手段に再生表示させる制御を行うことを特徴としたものである。
【００２２】
第７の技術手段は、圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段とを備えた記録装置に組み込むためのプログラムであって、前記記録装置における各手段に対する制御を行う演算装置に、前記記録手段における記録処理中に、パケットが入力されなくなったときに前記記録処理を一時停止する処理と、再びパケットの入力がなされたときに前記一時停止を解除して記録処理を再開する処理と、前記一時停止の処理毎に、予め記憶された画像情報及び／又は音声情報を、前記一時停止の期間に拘わらず所定期間だけ前記記録手段に対して出力する処理とを実行させることを特徴としたものである。
【００２３】
第８の技術手段は、圧縮処理されパケット化された画像情報及び／又は音声情報を含んでなる、コンテンツのストリームを入力する入力手段と、該入力手段で入力された画像情報及び／又は音声情報を復号する復号手段と、該復号手段で復号された画像情報及び／又は音声情報を記録する記録手段と、該記録手段で記録されたコンテンツを再生表示する出力手段とを備えた記録再生装置に組み込むためのプログラムであって、前記記録再生装置における各手段に対する制御を行う演算装置に、前記記録手段における記録処理中に、パケットが入力されなくなったときに前記記録処理を一時停止する処理と、再びパケットの入力がなされたときに前記一時停止を解除して記録処理を再開する処理と、前記一時停止の処理毎に、前記一時停止の前後の画像情報及び／又は音声情報から、所定時間の画像情報及び／又は音声情報を生成し記憶する処理と、前記出力手段における再生表示処理時に、前記生成され記憶された画像情報及び／又は音声情報を、前記一時停止に対応する期間に挿入して、前記出力手段に再生表示させる処理とを実行させることを特徴としたものである。
【００２４】
第９の技術手段は、第７又は第８の技術手段において、前記コンテンツのストリームは、画像情報及び／又は音声情報に各パケットの出力順序を示す連続性情報が付加されているものとし、当該プログラムは、前記演算装置に、前記一時停止の期間分に相当する連続性情報を、前記予め記憶された画像情報及び／又は音声情報に付与して、前記記録手段に対して出力して記録させる処理を実行させることを特徴としたものである。
【００２５】
第１０の技術手段は、第７乃至第９のいずれか１の技術手段において、前記コンテンツはデジタル放送コンテンツとし、前記入力手段は、前記デジタル放送コンテンツの放送信号を受信するためのチューナを有することを特徴としたものである。
【００２６】
第１１の技術手段は、第７乃至第１０のいずれか１の技術手段において、前記記録手段は、前記入力手段で入力される画像情報及び／又は音声情報に対する記録処理を、ユーザに予約操作又は開始・終了操作させることで実行する記録操作手段を有し、当該プログラムは、前記演算装置に、前記記録操作手段における記録操作に基づき記録用に各パケットを入力する処理を実行させることを特徴としたものである。
【００２７】
第１２の技術手段は、第７乃至第１１のいずれか１に記載のプログラムを記録したコンピュータ読み取り可能な記録媒体である。
【発明の効果】
【００２８】
本発明によれば、圧縮処理されパケット化されたコンテンツを記録する際に、受信できなかったパケット情報があっても、受信できなかった情報間の不自然なブレをユーザに極力感じさせず、且つ、装置にトラブルがあるとの疑念を抱かせないようにすることが可能となる。
【００２９】
また、本発明によれば、圧縮処理されパケット化されたコンテンツを記録して再生する際に、受信できなかったパケット情報があっても、受信できなかった情報間の不自然なブレをユーザに極力感じさせず、且つ、装置にトラブルがあるとの疑念を抱かせないようにすることが可能となる。
【発明を実施するための最良の形態】
【００３０】
図１は、本発明の一実施形態に係る記録装置の一構成例を示す図で、図２は、図１の記録装置における記録処理の流れを説明するためのフロー図である。図１において、１は入力手段、２は復号手段、３は記録手段、４は判定手段、５は記録操作手段、６は制御手段である。
【００３１】
本発明に係る記録装置は、入力手段１、復号手段２、記録手段３、及び制御手段６を備えるものとする。なお、本発明に係る記録装置は、記録したコンテンツを再生する再生装置と共に具備する記録再生装置にも当然適用可能である。
【００３２】
入力手段１は、圧縮処理されパケット化された画像情報及び／又は音声情報に各パケットの出力順序を示す連続性情報が付加されたコンテンツのストリームを入力する手段である。入力手段１は、コンテンツがデジタル放送コンテンツの場合に対応させるためには、圧縮処理されパケット化された画像情報及び／又は音声情報に各パケットの出力順序を示す連続性情報が付加された放送信号を受信するためのチューナを有することとなる。但し、本発明において、入力手段１は、連続性情報が付加されたコンテンツのストリーム（例えばＭＰＥＧのトランスポートストリーム）を入力する手段に限ったものではなく、圧縮処理されパケット化された画像情報及び／又は音声情報を含んでなる、コンテンツのストリームを入力する手段であればよい。
【００３３】
復号手段２は、入力手段１で入力された画像情報及び／又は音声情報を復号する復号手段であり、ハードウェア又はその一部がソフトウェアでなるデコーダが該当する。記録手段３は、復号手段２で復号された画像情報及び／又は音声情報を記録する手段であり、記録先である記録媒体を含む形態と含まない形態（記録媒体への記録処理を行う形態）のいずれも採用可能である。このように、本発明に係る記録装置（及び記録装置を備えた記録再生装置）においては、記録手段は装置内部に記録用のメモリを予め内蔵させる必要は無く、外部メモリに記録するための手段であれば例えば外部メモリを挿入するためのスロットのみであってもメモリ挿入によって情報の記録ができるので、記録手段がメモリ自身を構成することは必要とされない。むしろ、放送番組等のコンテンツを記録するための記録手段３がメモリを除くスロットで構成される方が、携帯用の映像表示装置の携帯性が考慮されて好適であるといえる。
【００３４】
本発明の特徴として、制御手段６は次の記録制御手段を有するものとする。この記録制御手段は、記録手段３における記録処理中に、パケットが入力されなくなったときに記録処理を一時停止し、再びパケットの入力がなされたときにその一時停止を解除して記録処理を再開するよう処理する。この記録制御手段は、さらに、その一時停止の処理毎に、予め記憶された画像情報及び／又は音声情報を、一時停止の期間に拘わらず所定期間だけ記録手段３に対して出力して、未入力のパケットの代わりに記録させる制御を行う。
【００３５】
そして、このような記録処理によって、圧縮処理されパケット化されたコンテンツ（番組データ等）を記録する際に、録画処理の中断操作がされたという一連の情報について画面上でユーザに容易に認識させることができる（同時に「受信障害期間」などと表示するとなお良い）ので、ブレ自体を感じてもその要因がすぐに分かるので、受信できなかった映像や音声のパケット情報があっても、受信できなかった情報間の不自然なブレをユーザに極力感じさせず、且つ、装置にトラブルがあるとの疑念を抱かせないようにすることが可能となる。また、特にバッテリなどを有した携帯式の受信端末に録画機能を搭載した使用においては、無駄な映像や音声（途切れ途切れに受信したパケットに対応する映像や音声など）をメモリに保存することなく、且つ、電池の余分な電力消費を費やすことがなくなるというメリットも有する。
【００３６】
また、図１で例示する構成例においては、ユーザによって記録操作が可能なよう記録操作手段５を備えている。記録操作手段５は、入力手段１で入力された画像情報及び／又は音声情報に対する、記録手段３における記録処理を、ユーザに予約操作又は開始・終了操作させることで実行する手段であり、このような記録装置では、記録操作手段５における記録操作に基づいて、記録用に各パケットが入力される。
【００３７】
さらに、図１で例示する構成例においては、入力手段１における入力の状態（受信状態）を判定するために判定手段４を備えている。判定手段４は、制御手段６に組み込むよう構成してもよく、また計数手段５におけるカウント及び受信レートと各パケットに情報として含まれる時刻などとを比較することによって構成してもよい。
【００３８】
また、本発明に係る記録装置の他の実施形態として、コンテンツのストリームは、画像情報及び／又は音声情報に各パケットの出力順序を示す連続性情報が付加されている場合に、記録制御手段が次のような制御も行うように構成してもよい。すなわち、この実施形態に係る記録制御手段は、一時停止の期間分に相当する連続性情報を、予め記憶された画像情報及び／又は音声情報に付与して、記録手段３に対して出力して記録させる制御を行う。
【００３９】
また、このような記録処理時に一部記録不能になった場合において、そのコンテンツを再生視聴しているユーザには、せめて何時、そしてどの程度記録できなくなったのかが認識できないと、いたずらにユーザを不快にさせる要因になりかねない。このような状況を打開するために、本発明の他の実施形態に係る記録装置は、時刻情報に基づいて一部のパケットが入力されなかった期間を、再生時に提示可能なように画像情報及び／又は音声情報と共に記録手段３で記録する手段をさらに備えるようにしてもよい。なお、コンテンツのストリームにおける各パケットが時刻情報を含む場合には、その時刻情報に従って記録すればよいし、そうでなければ記録装置における計時手段の時刻情報に従って記録すればよい。
【００４０】
図１で上述したごとき構成の記録装置における記録処理を、図２を参照して説明する。まず、記録操作手段５における記録開始操作により、或いは同じく予約操作により予約された時刻の到来によって、コンテンツの記録（録画）が開始される（ステップＳ１）。録画が開始されると、まず受信状態の判定が判定手段４によりなされる（ステップＳ２）。受信状態が良好であった場合にはステップＳ６へ進み、良好でなかった場合にはステップＳ３へと進む。なお、なお、連続性情報の付与を行う上述した実施形態にあっては、受信されたパケットをカウントしてそのカウント情報を利用するとよい。
【００４１】
ステップＳ３では、一時停止処理を行い、ステップＳ５で受信状態の復帰を待つ。受信状態が復帰した場合には、一時停止を解除して、予め記憶された画像及び／又は音声の情報を挿入して（ステップＳ４）、録画用の記録媒体（メモリ）にコンテンツを記録し（ステップＳ６）、録画終了判定を行う（ステップＳ７）。ステップＳ７で予約時間終了又はユーザの録画終了操作によって録画終了と判定された場合、録画停止処理を行い（ステップＳ８）、逆に録画継続と判定された場合にはステップＳ２へ戻り、引き続き録画処理を継続する。
【００４２】
また、上述した制御手段６は、記録装置に具備されたＣＰＵ等の演算装置と、その演算装置に各手段１〜４を制御させるプログラムと、このプログラムを記録しておくメモリや実行可能に読み出すメモリとによって構成することも可能である。このプログラムは、図２で例示した処理のごとき本発明に係る記録処理を演算装置に実行させるプログラムであればよく、各手段１〜４の一部、例えば、各手段１〜３を制御するためのプログラムであってもよい。
【００４３】
また、本発明に係る記録装置を、記録したコンテンツを再生する再生装置（再生表示する出力装置）と共に具備する記録再生装置に適用する場合には、出力装置は、記録手段３で記録されたコンテンツを単純に再生表示すればよく、この出力装置では、一時停止の期間、予め記憶された画像情報及び／又は音声情報を、その一時停止の期間に拘わらず所定期間だけ未入力のパケットの代わりに再生表示することとなる。
【００４４】
本発明の思想を記録再生装置に適用することは、一般的な再生装置での再生を考慮しないことでも可能である。次に、このような記録再生装置の一実施形態を説明する。
【００４５】
図３は、本発明の一実施形態に係る記録再生装置の一構成例を示す図で、図４は、図３の記録再生装置における記録再生処理の流れを説明するためのフロー図である。図３において、入力手段１，復号手段２，記録手段３，判定手段４，記録操作手段５は、図１のそれらと同様の処理を実行するものであり、制御手段６における制御が図１のそれと異なる。
【００４６】
本実施形態に係る記録再生装置は、入力手段１、復号手段２、記録手段３、及び制御手段６に加え、再生表示を行う表示手段７及び切替手段８を備えるものとする。表示手段７は、記録手段で記録されたコンテンツを再生表示する出力手段であり、音声情報の出力も実行できるものとする。
【００４７】
本実施形態に係る記録再生装置においては、制御手段６は、途切れたパケットの前後の画像等の情報から生成した画像情報及び／又は音声情報（中間データ）を、再生の際に付加する手段も備えるものとする。すなわち、本実施形態における制御手段６は、記録手段３における記録処理中に、パケットが入力されなくなったときに記録処理を一時停止し、再びパケットの入力がなされたときにその一時停止を解除して記録処理を再開するよう処理すると共に、一時停止の処理毎に、その一時停止の前後の画像情報及び／又は音声情報から、所定時間の画像情報及び／又は音声情報（中間データ）を生成し記憶する情報生成手段を有し、出力手段（表示手段７に相当）における再生表示処理時に、情報生成手段で生成された画像情報及び／又は音声情報を、一時停止に対応する期間に挿入して、出力手段（表示手段７に相当）に再生表示させる制御を行う。
【００４８】
そして、このような記録再生処理によって、圧縮処理されパケット化されたコンテンツ（番組データ等）を記録して再生する際に、録画処理の中断操作がされたという一連の情報について画面上でユーザに容易に認識させることができる（同時に「受信障害期間」などと表示するとなお良い）ので、ブレ自体を感じてもその要因がすぐに分かるので、受信できなかった映像や音声のパケット情報があっても、受信できなかった情報間の不自然なブレをユーザに極力感じさせず、且つ、装置にトラブルがあるとの疑念を抱かせないようにすることが可能となる。
【００４９】
図３で上述したごとき構成の記録装置における記録処理を、図４を参照して説明する。まず、記録操作手段５における記録開始操作により、或いは同じく予約操作により予約された時刻の到来によって、コンテンツの記録（録画）が開始される（ステップＳ１１）。録画が開始されると、まず受信状態の判定が判定手段４によりなされる（ステップＳ１２）。受信状態が良好であった場合にはステップＳ１６へ進み、良好でなかった場合にはステップＳ１３へと進む。なお、なお、連続性情報の付与を行う形態にあっては、受信されたパケットをカウントしてそのカウント情報を利用するとよい。
【００５０】
ステップＳ１３では、一時停止処理を行い、ステップＳ１５で受信状態の復帰を待つ。受信状態が復帰した場合には、一時停止を解除して、上述のごとき中間データを生成して（ステップＳ１４）、録画用の記録媒体（メモリ）にコンテンツと共に記録し（ステップＳ１６）、録画終了判定を行う（ステップＳ１７）。ステップＳ１７で予約時間終了又はユーザの録画終了操作によって録画終了と判定された場合、録画停止処理を行い（ステップＳ１８）、逆に録画継続と判定された場合にはステップＳ１２へ戻り、引き続き録画処理を継続する。
【００５１】
そして、このような録画処理によって録画されたコンテンツ及び中間データを、再生表示時に、対応する箇所に中間データを挿入して再生表示することで、受信できなかったパケット情報があっても、受信できなかった情報間の不自然なブレをユーザに極力感じさせず、且つ、装置にトラブルがあるとの疑念を抱かせないようにすることが可能となる。
【００５２】
また、上述した制御手段６は、記録再生装置に具備されたＣＰＵ等の演算装置と、その演算装置に各手段１〜４，７，８を制御させるプログラムと、このプログラムを記録しておくメモリや実行可能に読み出すメモリとによって構成することも可能である。このプログラムは、図４で例示した処理のごとき本発明に係る記録再生処理を演算装置に実行させるプログラムであればよく、各手段１〜４，７，８の一部、例えば、各手段１〜３，４を制御するためのプログラムであってもよい。
【００５３】
図５は、図１の記録装置を備えた記録再生装置の一構成例を示すブロック図で、図６は、図５の記録再生装置における録画処理時の流れを説明するためのフロー図で、図７は、放送された番組の一連のデータフォーマットと図５の記録再生装置において記録された番組の一連のデータフォーマットの一例を示す概略図である。
【００５４】
図５で例示する記録再生装置は、入力手段１１，開始・終了操作手段１２，予約設定手段１３，復号手段１４，判定手段１５，制御手段１６，表示手段１７，切替手段１８，カウンタ１９，情報記憶手段２０，画像生成手段２１，記録手段２２，計時手段２３を備える。ここで、入力手段１１，復号手段１４，判定手段１５，制御手段１６，記録手段２２は、それぞれ図１における入力手段１，復号手段２，判定手段４，制御手段６，記録手段３に該当し、開始・終了操作手段１２及び予約設定手段１３は図１における記録操作手段５に該当する。また、表示手段１７は、再生表示を実行するために設けられた手段であり、図３における表示手段７に対応する手段ともいえる。また、切替手段１８は、表示手段１７を設けたために必要となる手段であり、図３における切替手段８に対応する手段ともいえる。
【００５５】
入力手段１１は、アンテナで受信した同期信号と圧縮された映像音声情報とを含む各種放送信号のうちから適当なチャンネルを選局させるチューナ等である。復号手段１４は、選局された放送信号のうち圧縮された映像又は音声情報をそれぞれデコードするため手段である。切替手段１８は、ユーザからの操作に応じて復号した映像又は音声情報を記録媒体に記録させるか若しくは表示画面やスピーカに出力させるか出力を切り替えるための手段である。記録手段２２は、復号された映像音声情報を記録媒体（メモリ）に記録するための手段である。
【００５６】
表示手段１７は、復号された映像音声情報を画面上に表示再生するための手段で、ＬＣＤ，ＰＤＰ，有機ＥＬ，ＣＲＴ等の各種ディスプレイがそれに相当する。情報記憶手段２０は、その他、表示処理や録画処理に関する各種設定値を保存するための記憶手段であり、ここでは、メモリに所定映像を記録するためデータ（挿入するためのデータ）をも記憶している。開始・終了操作手段１２では、録画処理の開始や終了の操作をユーザに実行させる手段であると共に、上述の設定値の変更保存のための操作を行うため手段としても機能する。また、制御手段１６は、この開始・終了操作手段１２や予約設定手段１３において行われる表示や記録に対する操作に応じた各種制御を行うための手段となる。そして、制御手段１６は、記録手段２２における記録処理の途中で放送信号の受信が不可な状態になった場合には記録一時停止し、再び放送信号の受信が可能になった場合に記録一時停止解除しながら記録処理を行い、記録処理をした一連の放送信号を再生処理する途中で記録が中断された期間があった場合は、出力部に次の放送信号を出力する前に、予め記憶された映像情報及び／又は音声情報を一定期間出力するように制御する。
【００５７】
また、制御手段１６において、入力手段１１で入力され復号手段１４で復号され記録手段２２に出力される各パケットの出力順序を、連続性情報をもとに配列し、一部のパケットが入力されなかった場合は、そのパケット以降の連続性情報に対してカウンタ１９で計数された序数をもとに連続性情報の書き換えを行う手段を備えることが好ましい。この書き換える手段によって、必要に応じて連続性情報の書き換えを行いながら、記録手段２２における記録処理を行うことができる。ここで、カウンタ１９は、入力手段１で入力された各パケットを計数する計数手段である。カウンタ１９は、入力された各パケットに対し、その出力順序をカウントするともいえる。また、このカウンタ１９は、上述の制御手段１６（制御手段６）に含まれる形態も採用できる。
【００５８】
予約設定手段１３は、予約録画処理を行うために録画開始時刻、終了時刻、チャンネルに関する情報を設定保存するための手段であり、ＥＰＧ（電子プログラムガイド）の情報を受信してそれに基づいて予約設定を行う形態も採用できる。判定手段１５は、入力手段１１に具備されるアンテナの受信状態の良し悪しを判定するための手段であり、計時手段２３は、一定間隔で現在時刻を計測し管理するための手段である。
【００５９】
そして、これらの機能を解説するために、図６の制御フロー図に従ってその制御の流れの一例を説明する。まず、予めＥＰＧ（電子番組表）等による予約設定操作によって予約するべき番組の開始時刻、チャンネル、終了時刻を予約設定手段１３で設定する。こうして設定された番組に対して該当開始時刻になったら録画を開始するように制御手段１６が制御処理を行う。このとき、ステップＳ２１において録画処理が開始されると、同時に受信したＭＰＥＧビデオデータに多重化されたパケット内に構成される再生出力時間管理情報ＰＴＳ（Ｐｒｅｓｅｎｔ  Ｔｉｍｅ  Ｓｔａｍｐ）若しくは復号の時刻管理情報ＤＴＳ（Ｄｅｃｏｒｄｉｎｇ  Ｔｉｍｅ  Ｓｔａｍｐ）のいずれかの時間情報に対して、計時手段２３で管理されている現在時間情報を書き換える（ステップＳ２２）。この現在時間情報の書き換えによって、記録処理の開始を契機として、自動的に記録再生装置内（或いは記録装置内）の時刻を修正することができ、放送信号等の入力信号が受信不可能になった場合においても、正確な時刻管理ができ、例えば記録できなかった時間帯を記録することやその時間帯を表示や音声出力するなどして提示することが可能となる。
【００６０】
ステップＳ２２に次いで、記録中に記録処理に対する一時停止処理がなされたか否かの判定を行うための録画一時停止フラグを予め用意しておき、最初はこのフラグをクリアな状態に設定しておく（ステップＳ２３）。この録画一時停止フラグは、受信した複数のパケット情報を時間配列し直す際に受信できなかったパケットが１つでもあった場合にそのパケット以降の連続性情報の書き換えを行うための設定値である。つまり、この設定値は、フラグがクリアの状態で維持されていれば連続性データの書き換えを行わず、フラグがＯＮの状態であれば連続性データの書き換えを行うといった判断を、制御手段１６が実行するための情報である。
【００６１】
そして、受信状態の良し悪しの判別を入力手段１１或いは復号手段１４での受信レベル情報等をもとに判定手段１５で判定し、その結果をマイコン等でなる制御手段１６に伝達する。その結果、受信状態が良くないと判断した場合は、記録一時停止フラグをＯＮ状態にし（ステップＳ２６）、録画の一時停止処理と同時に中断した時刻を記録するために計時手段２３から記録手段２２へのタイムスタンプ記録処理（記録期間の情報を記録する処理）を行う（ステップＳ２７）。そして、再度受信状態の復帰の是非を判定手段１５で判定し（ステップＳ２８）、復帰したと判定した際は録画一時停止処理の解除を行い（ステップＳ２９）、映像等のブレを防止するために、予め記憶された所定の画像情報及び／又は音声情報でなるデータ（中間データ）を制御手段１６が情報記憶手段２０から読み出すか、或いは一時停止処理の前後のコンテンツの平均データなどによってデータ（中間データ）を生成し（ステップＳ３０）、再度記録処理を継続するために、ステップＳ３１に移行する。このとき同時に記録再開した時刻を記録するべく計時手段２３から記録手段２２へのタイムスタンプ記録処理を行っても良い。また、ステップＳ３０の処理に関し、予め記憶された所定の画像情報及び／又は音声情報でなる中間データを読み出す処理を実行する場合には、ステップＳ２６〜Ｓ３１の間に実行すればよい。
【００６２】
そして、ステップＳ３１では連続性情報の書き換えを行う。つまり、録画を一時停止する直前のパケットに割り当てられた連続性情報番号に続くように、常に計数手段１９では受信したパケットの連続性情報をカウントしておき、一時停止後に最初に記録するべきパケットに対し記録するべき連続性情報番号を計数手段１９で管理されている番号から読み出して、受信状態復帰後において各パケットの連続性情報の書き換えを逐次実行する。なお、この連続性情報は録画中にパケットが一つでも欠如すると、それ以降のパケットの番号管理に齟齬が生じてしまうので、受信状態復帰後の連続性情報は全て書き換える必要がある。また、前述した実施形態のように、連続性情報の書き換えを、中間データに対してのみ実行するようにしてもよく、その場合には、受信できなかったパケットに相当する連続性情報を中間データにまとめて付すればよい。
【００６３】
このためステップＳ２５では、受信状態が良好であったとしても、録画一時停止フラグの設定がＯＮ状態であるか否かの判別を行い、過去に一回でも一時停止操作が行われた場合は、それ以降の連続性情報を書き換えるためにステップＳ３１に移行するように制御している。
【００６４】
こうして、確実に受信した各パケット情報は連続性情報の書き換えの有無に拘わらず、録画用のメモリに対し記録処理を行う（ステップＳ３２）。読出し或いは生成した中間データは、対応する箇所に挿入して記録するとよい。そして、最後に計時手段２３で計測した現在時刻と予約設定手段１３で設定された終了時刻とを比較して録画終了と判断された場合（ステップＳ３３で録画終了）は、録画を停止し（ステップＳ３４）、一連の予約録画処理を終了する。一方、録画終了と判定されなかった場合には、ステップＳ２３に戻り処理を継続する。
【００６５】
こうしてメモリに得られた録画データのフォーマットについて図７を参照して説明する。上側のデータ３１が一連の番組データを時間順に配列させたデータフォーマット全体を表し、また下側のデータ３２がメモリに記録した番組データを時間順に配列させたデータフォーマットを表す。そして、上下のデータフォーマットにおいてメモリへの記録に成功した期間のデータをそれぞれＡ，Ｂ，Ｃとに区分けしており、上側のデータフォーマットにおいてメモリに記録できなかった期間のデータをＸ１，Ｘ２として表している。
【００６６】
そして、上述のごとき録画処理時において、本発明の特徴部分として、データＡとデータＢとの間には互いのデータの連続性が損なわれないようにするために、ダミーデータを挿入する。画像生成手段２１では、データＡの最後の連続性情報を有するパケットの映像とデータＢの最初の連続性情報を有するパケットと映像との間に、データＡの最後の映像とデータＢの最初の映像とから生成した中間映像Ｚ１と、データＡの最後の連続性情報とデータＢの最初の連続性情報との間の連続性情報Ｙ１とで構成された中間映像用パケットを形成して、制御手段１６によって挿入している。なお、制御手段１６に画像生成手段２１が含まれる形態であってもよい。また、中間映像Ｚ１の代わりに、予め情報記憶手段２０に記憶しておいた所定の映像を採用してもよい。また、データＢとデータＣとの間に挿入された中間映像用パケットも同様な構成（Ｙ２及びＺ２）で記録される。このようなデータ構成を有することによって、一連の放送番組に対して出来るだけ映像情報の連続性を維持しつつ、適切な連続性情報を元に映像を再生することが可能になる。
【００６７】
さらに、データＡの最後の連続性情報を有するパケットの映像とデータＢの最初の連続性情報を有するパケットと映像との間に、データＡの最後の映像と予め情報記憶手段２０に記憶されマイコン等の制御手段１６から読み出される所定の映像情報（例えば黒画面）とデータＢの最初の映像とによって生成された中間映像と、データＡの最後の連続性情報とデータＢの最初の連続性情報との間の連続性情報とで構成された中間映像用パケットＺ１を形成する画像生成手段２１を構成して、このパケットをデータＡＢ間に挿入するようにしてもよい。このように、データＡの最後の映像から黒画面に徐々にシーンチェンジをし、続いて黒画面からデータＢの最初の映像画面へとシーンチェンジを行うようにデータ編集を行ったパケットをデータＡＢ間に介在させることによって、一連の放送番組に対して出来るだけ映像情報の連続性を維持しつつ、適切な連続性情報を元に映像を再生することが可能になる。
【００６８】
また、これらを組み合わせ、連続して記録できなかったパケット数が一定以上である時には、黒又は白画面を挿入したシーンチェンジを伴う画像データを挿入し、一方で連続して記録できなかったパケットの数が一定未満であれば、中断した映像の前後の映像に連続性を与えるような画像処理を行うようにしても良い。
【００６９】
なお、ステップＳ２２のように記録開始と同時に時刻修正がなされるので計時手段２３で管理されている時刻に多少のズレが生じたときに、放送信号に多重化された時間情報をもとに修正を自動的に行ってくれるという利点も有する。さらには、計時手段２３で管理された時間のズレを修正してから録画を行うので、録画終了時の時刻も番組終了時刻に併せて確実に終了させることが可能になる。
【００７０】
最後に、本発明による記録処理又は記録再生処理の機能を実現するためのプログラムやデータを記憶した記録媒体の実施形態を補足する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述した本発明の記録処理又は記録再生処理の制御プログラムを、これら記録媒体に記録して流通させることにより、当機能の実現を容易にする。そして、汎用コンピュータ等の情報処理装置に上述のごとき記録媒体を装着して（携帯端末であれば汎用コンピュータやネットワークを介して読み込んでソフトウェアとして或いはファームウェアとして）記憶させて組み込ませておき、必要に応じて読み出すことにより、本発明に係わる記録処理又は記録再生処理の機能を実行することができる。
【図面の簡単な説明】
【００７１】
【図１】本発明の一実施形態に係る記録装置の一構成例を示す図である。
【図２】図１の記録装置における記録処理の流れを説明するためのフロー図である。
【図３】本発明の一実施形態に係る記録再生装置の一構成例を示す図である。
【図４】図３の記録再生装置における記録再生処理の流れを説明するためのフロー図である。
【図５】図１の記録装置を備えた記録再生装置の一構成例を示すブロック図である。
【図６】図５の記録再生装置における録画処理時の流れを説明するためのフロー図である。
【図７】放送された番組の一連のデータフォーマットと図５の記録再生装置において記録された番組の一連のデータフォーマットの一例を示す概略図である。
【図８】従来技術の画像記録装置における録画処理の一例を説明するためのフロー図である。
【図９】図８の録画処理を実行したときに受信障害期間が存在した場合の実際の録画結果の例を示す図である。
【符号の説明】
【００７２】
１，１１…入力手段、２，１４…復号手段、３，２２…記録手段、４，１５…判定手段、５…記録操作手段、６，１６…制御手段、７，１７…表示手段、８，１８…切替手段、１２…開始・終了操作手段、１３…予約設定手段、１９…カウンタ、２０…情報記憶手段、２１…画像生成手段、２３…計時手段。
【図１】
2006092663.tif 000003
【図２】
2006092663.tif 000004
【図３】
2006092663.tif 000005
【図４】
2006092663.tif 000006
【図５】
2006092663.tif 000007
【図６】
2006092663.tif 000008
【図７】
2006092663.tif 000009
【図８】
2006092663.tif 000010
【図９】
2006092663.tif 000011